(57)【要約】【課題】輸送管の内壁面への塵埃等の付着を防止できること。【解決手段】掃除機本体に接続され、塵埃等の被吸引物を吸引して掃除機本体へ輸送する、手元操作管２２を含めたホース１９、延長管２０等を有する輸送管を備えた電気掃除機の輸送管構造において、チューブ形状に形成されると共に可撓性を有し、手元操作管２２及びホース１９の内部に配設されるインナーカバー２６と、このインナーカバー２６の一端２６Ａを延長管２０に係止すると共に、手元操作管２２に内蔵される係止部材２８と、を有するものである。【選択図】  図２
2009225946.tif 000002
【特許請求の範囲】
【請求項１】
掃除機本体に接続され、塵埃等の被吸引物を吸引して前記掃除機本体へ輸送する輸送管を備えた電気掃除機の輸送管構造において、
チューブ形状に形成されると共に可撓性を有し、前記輸送管の内部に配設されるインナーカバーと、
このインナーカバーの一端を前記輸送管に係止すると共に、この輸送管に内蔵される係止部材と、を有することを特徴とする電気掃除機の輸送管構造。
【請求項２】
前記輸送管は、一端が掃除機本体に接続され、他端に手元操作管を備えた撓み変形可能なホースと、前記手元操作管に接続される伸縮自在な延長管と、この延長管に接続されて被吸引物を吸引する吸込口体とを有して成り、
インナーカバーは、前記手元操作管と前記延長管との接続部に係止部材を用いて一端が係止されて、前記ホースの内部に配設されることを特徴とする請求項１に記載の電気掃除機の輸送管構造。
【請求項３】
前記輸送管は、一端が掃除機本体に接続され、他端に手元操作管を備えた撓み変形可能なホースと、前記手元操作管に接続される伸縮自在な延長管と、この延長管に接続されて被吸引物を吸引する吸込口体とを有して成り、
インナーカバーは、前記延長管と前記吸込口体との接続部に係止部材を用いて一端が係止されて、前記延長管及び前記ホースの内部に配設されることを特徴とする請求項１に記載の電気掃除機の輸送管構造。
【請求項４】
前記係止部材は、インナーカバーの一端を着脱可能に係止し、このインナーカバーが繰返し使用可能に構成されたことを特徴とする請求項１に記載の電気掃除機の輸送管構造。
【発明の詳細な説明】
【技術分野】
【０００１】
本発明は、掃除機本体に接続され、塵埃等の被吸引物を吸引して掃除機本体へ輸送する輸送管を備えた電気掃除機の輸送管構造に関する。
【背景技術】
【０００２】
塵埃等の被吸引物を吸引して掃除機本体へ輸送する輸送管のうち、特に蛇腹形状のホースにあっては、凹凸形状の内壁面に塵埃等が付着し易い。しかも、この塵埃等は除去が困難であるため、この塵埃等が原因となってホース内にカビなどが繁殖する恐れがある。
【０００３】
そこで、特許文献１に記載の乾湿両用の電気掃除機では、輸送管としてのホース内部にインナーカバーを配設して、このホースの内壁面の汚れを気にすることなく、液体等を吸引できるようにしたものが提案されている。
【特許文献１】特開２００１−１７３６３号公報
【発明の開示】
【発明が解決しようとする課題】
【０００４】
ところが、特許文献１に記載の電気掃除機は、乾湿両用の、いわゆる業務用の電気掃除機であり、液体を吸引不可能な家庭用の電気掃除機において、ホースなどの輸送管の内壁面に塵埃等が付着することを防止するものは存在しない。
【０００５】
また、特許文献１に記載の電気掃除機では、インナーカバーの汚れを除去するために、水などの液体を吸引させることで実施しているが、この方法は、液体を吸引不可能な家庭用電気掃除機では不可能である。
【０００６】
本発明の目的は、上述の事情を考慮してなされたものであり、輸送管の内壁面への塵埃等の付着を防止できる電気掃除機の輸送管構造を提供することにある。
【課題を解決するための手段】
【０００７】
本発明は、掃除機本体に接続され、塵埃等の被吸引物を吸引して前記掃除機本体へ輸送する輸送管を備えた電気掃除機の輸送管構造において、チューブ形状に形成されると共に可撓性を有し、前記輸送管の内部に配設されるインナーカバーと、このインナーカバーの一端を前記輸送管に係止すると共に、この輸送管に内蔵される係止部材と、を有することを特徴とするものである。
【発明の効果】
【０００８】
本発明によれば、輸送管の内部に配設されるインナーカバー内を塵埃等の被吸引物が輸送されることで、この塵埃等が輸送管の内壁面に接触せず、従って、輸送管の内壁面への塵埃等の付着を防止できる。
【発明を実施するための最良の形態】
【０００９】
以下、本発明を実施するための最良の形態を、図面に基づき説明する。
【００１０】
［Ａ］第１の実施の形態（図１〜図４）
図１は、本発明に係る電気掃除機の輸送管構造における第１の実施の形態が適用された電気掃除機を示す斜視図である。図２は、図１の手元操作管を含めたホースを示す側面図である。
【００１１】
図１に示すように、電気掃除機１０は、固体を吸引可能で液体の吸引が不可能ないわゆる家庭用電気掃除機であり、掃除機本体１１と、この掃除機本体１１に接続され塵埃等の被吸引物を吸引して掃除機本体１１へ輸送する輸送管１２とを有して構成される。
【００１２】
掃除機本体１１は、本体ケース１３と、後部側が本体ケース１３に回動可能に枢支された蓋体１４とを備えてなる。本体ケース１３の後側に電動送風機１５が配置され、前側に、集塵袋１７を着脱自在に備える集塵室１６が形成されている。この集塵室１６の上方開口が蓋体１４により開閉される。また、電動送風機１５の動作により集塵室１６に吸引負圧が作用する。
【００１３】
掃除機本体１１における本体ケース１３の前側下部に、集塵室１６に連通するホース接続口１８が形成され、このホース接続口１８に、輸送管１２におけるホース１９の一端に設けられたホースコネクタ２９が着脱自在に接続される。このホース１９は、延長管２０及び吸込口体２１と共に輸送管１２を構成する。これらの吸込口体２１、延長管２０及びホース１９が、風上側から風下側に向かって順次接続されている。
【００１４】
つまり、ホース１９は、上述のように一端のホースコネクタ２９が本体ケース１３のホース接続口１８に接続され、他端に手元操作管２２を備えて撓み変形可能に蛇腹形状に構成される。手元操作管２２に、電動送風機１５の動作モードを設定する複数の操作スイッチ２５が設けられている。また、延長管２０は、第１筒体２３内に第２筒体２４が進退可能に設けられて伸縮可能に構成され、第１筒体２３がホース１９の手元操作管２２に着脱自在に接続される。吸込口体２１は、延長管２０の第２筒体２４に着脱自在に接続され、被吸引物としての塵埃等を吸引する。
【００１５】
さて、図２に示すように、ホース１９の内部には、チューブ形状で両端が開口されたインナーカバー２６が、全長に亘って配設されている。従って、このインナーカバー２６は、手元操作管２２を含めたホース１９の長さと略等しく設定されている。吸込口体２１にて吸引された塵埃等は、インナーカバー２６内を流れて掃除機本体１１の集塵室１６へ輸送され、図３及び図４に示す手元操作管２２の内壁面３３及びホース１９の内壁面３４に接触することが防止される。
【００１６】
また、インナーカバー２６は、ビニールなどの軟質素材から構成されて可撓性を有し、ホース１９の撓みまたは屈曲変形に容易に追従できるよう構成される。更に、インナーカバー２６は、水や洗剤などを用いて洗浄可能に設けられ、繰り返し使用可能な耐久性を有する。
【００１７】
インナーカバー２６の一端２６Ａは、図３に示すように、手元操作管２２と延長管２０との接続部、例えば手元操作管２２に挿入される延長管２０（第１筒体２３）の挿入接続部２７の外周面３０に装着される係止部材２８を用いて、この挿入接続部２７に着脱可能に係止される。この係止部材２８は、手元操作管２２と延長管２０との接続時には、手元操作管２２に内蔵されて外部に露出することがない。また、係止部材２８は、伸縮可能なリング形状、または両端部が止着されるバンド形状に構成される。
【００１８】
インナーカバー２６の一端２６Ａは、係止部材２８の内周面３１側から係止部材２８の外周面３２側に折り返され、係止部材２８の内周面３１と挿入接続部２７の外周面３０との間に挟持される。また、インナーカバー２６の他端２６Ｂは、図２に示すようにホース１９のホースコネクタ２９から外方へ延び、掃除機本体１１の集塵室１６内へ至る。
【００１９】
上述のインナーカバー２６を、手元操作管２２を含めたホース１９内に配設するには、まず、インナーカバー２６の一端２６Ａを延長管２０の挿入接続部２７に係止部材２８を用いて係止する。そして、インナーカバー２６の他端２６Ｂ側を、手元操作管２２を含めたホース１９内に収納し、延長管２０の挿入接続部２７を手元操作管２２内に挿入して、延長管２０と手元操作管２２を接続する。次に、この状態で掃除機本体１１の電動送風機１５を起動させ、この電動送風機１５が発生する吸引負圧によってインナーカバー２６を、手元操作管２２の内壁面３３及びホース１９の内壁面３４に沿って延在させる。このとき、インナーカバー２６の他端２６Ｂは、本体ケース１３の集塵室１６内に至るが、このインナーカバー２６の他端２６Ｂを集塵室１６に着脱可能に固定してもよい。
【００２０】
インナーカバー２６を手元操作管２６及びホース１９内から回収する際には、延長管２０と手元操作管２２との接続を解除し、延長管２０の挿入接続部２７から係止部材２８を取り外す。この状態で、掃除機本体１１の電動送風機１５を起動させて、この電動送風機１５の吸引負圧によりインナーカバー２６を本体ケース１３の集塵室１６内に移送する。この集塵室１６内に移送されたインナーカバー２６を洗浄し乾燥することで、インナーカバー２６の汚れが取り除かれ、このインナーカバー２６を繰り返し使用することが可能となる。
【００２１】
以上のように構成されたことから、上記実施の形態によれば次の効果（１）〜（３）を奏する。
【００２２】
（１）インナーカバー２６が手元操作管２２を含めたホース１９内に配設されたことから、吸込口体２１から吸引された塵埃等の被吸引物がインナーカバー２６内を移動することになる。このため、この塵埃等が手元操作管２２の内壁面３３及びホース１９の内壁面３４に接触することがなくなるので、これらの内壁面３３及び３４への塵埃等の付着を防止できる。この結果、手元操作管２２の内壁面３３及びホース１９の内壁面３４にカビなどの繁殖を抑制でき、これらの内壁面３３及び３４を常に清潔に保持することができる。
【００２３】
（２）インナーカバー２６が、延長管２０の挿入接続部２７に係止部材２８を用いて着脱可能に係止されると共に、繰り返し使用可能に構成されている。このため、１つのインナーカバー２６を使用した後に手元操作管２２及びホース１９から取り外し、洗浄乾燥後に再度取り付けて使用することで、清潔な状態を保持しつつ、環境に配慮したリサイクル式のインナーカバー２６を実現できる。
【００２４】
（３）インナーカバー２６の一端２６Ａを延長管２０の挿入接続部２７に係止するための係止部材２８が、延長管２０と手元操作管２２との接続状態では外部に露出しないことから、輸送管１２の外観を良好に保つことができる。この点は、意匠性が重要視される家庭用電気掃除機において効果的である。
【００２５】
［Ｂ］第２の実施の形態（図５）
図５は、本発明に係る電気掃除機の輸送管構造における第２の実施の形態が適用された電気掃除機の吸込口体と延長管の一部を示す側面図である。この第２の実施の形態において、前記第１の実施の形態と同様な部分は、同一の符号を付して説明を簡略化し、または省略する。
【００２６】
この第２の実施の形態の電気掃除機の輸送管４０では、延長管２０の内部と手元操作管２２を含めたホース１９の内部とにインナーカバー２６が配設されている。従って、本実施の形態のインナーカバー２６の長さは、延長管２０の長さと手元操作管２２を含めたホース１９の長さとの和とほぼ等しく設定される。
【００２７】
また、インナーカバー２６の一端２６Ａは、吸込口体２１の接続パイプ４１と延長管２０との接続部、例えば延長管２０（第２筒体２４）に挿入される接続パイプ４１の挿入接続部４２の外周面４３に装着される係止部材２８によって、この挿入接続部４２に着脱自在に係止される。この係止部材２８も、吸込口体２１の接続パイプ４１が延長管２０に接続された状態では、延長管２０に内蔵されて外部に露出することがない。
【００２８】
この実施の形態においても、インナーカバー２６の配設は、インナーカバー２６の一端２６Ａを吸込口体２１の接続パイプ４１の挿入接続部４２に係止部材２８を用いて係止し、インナーカバー２６の他端２６Ｂ側を延長管２０内へ収納させた後、接続パイプ４１を延長管２０に接続する。この状態で、掃除機本体１１の電動送風機１５を起動させて、この電動送風機１５の吸引負圧により、インナーカバー２６を延長管２０の内部と手元操作管２２を含めたホース１９の内部に配設し、インナーカバー２６の他端２６Ｂを本体ケース１３の集塵室１６に至らせる。
【００２９】
また、インナーカバー２６の回収は、吸込口体２１の接続パイプ４１の挿入接続部４２から係止部材２８を取り外し、この状態で掃除機本体１１の電動送風機１５を起動して、この電動送風機１５の吸引負圧の作用で、インナーカバー２６を本体ケース１６の集塵室１６に移送させることで実施する。
【００３０】
従って、本実施の形態においても、前記実施の形態の効果（１）〜（３）と同様な効果を奏するほか、次の効果（４）を奏する。
【００３１】
（４）インナーカバー２６が手元操作管２２を含めたホース１９内ばかりか、延長管２０の内部にも配設されたので、この延長管２０の内壁面にも塵埃等が付着せず、この延長管２０の内壁面を清潔に保持することができる。更に、延長管２０における第１筒体２３と第２筒体２４との摺接部に細塵が付着することがないので、この摺接部の摩耗を抑制することができる。
【００３２】
以上、本発明を上記実施の形態に基づいて説明したが、本発明はこれに限定されるものではない。例えば、サイクロン式集塵カップを搭載した電気掃除機の場合には、この集塵カップ内の塵埃等を除去した後に、電動送風機の吸引負圧によって上記集塵カップ内にインナーカバー２６を回収することが可能となる。
【図面の簡単な説明】
【００３３】
【図１】本発明に係る電気掃除機の輸送管構造における第１の実施の形態が適用された電気掃除機を示す斜視図。
【図２】図１の手元操作管を含めたホースを示す側面図。
【図３】図２のIII部を拡大して示す断面図。
【図４】図４のIV部を拡大して示す断面図。
【図５】本発明に係る電気掃除機の輸送管構造における第２の実施の形態が適用された電気掃除機の吸込口体と延長管の一部を示す側面図。
【符号の説明】
【００３４】
１０  電気掃除機
１１  掃除機本体
１２  輸送管
１３  本体ケース
１６  集塵室
１９  ホース
２０  延長管
２１  吸込口体
２２  手元操作管
２６  インナーカバー
２６Ａ  インナーカバーの一端
２７  挿入接続部
２８  係止部材
３３  手元操作管の内壁面
３４  ホースの内壁面
４０  輸送管
４１  接続パイプ
４２  挿入接続部
【図１】
2009225946.tif 000003
【図２】
2009225946.tif 000004
【図３】
2009225946.tif 000005
【図４】
2009225946.tif 000006
【図５】
2009225946.tif 000007